(57)【特許請求の範囲】
【請求項１】
ベッドの支持床が、ベッドの長手方向屈曲点とベッドの幅方向屈曲点で屈曲可能なように少なくともベッド・ソファー兼用ボトム、ベッド背ボトム、ベッドボトム、ソファー背ボトムに４分割されており、該支持床の下側に支持基台を有し、支持基台の矩形枠の長手方向枠間に、ベッド背上げシャフトとソファー背上げシャフトが回動自在に連結固定され、該ベッド背上げシャフトにはベッド背上げアームとベッド背上げブラケットが所定角度で固定され、ソファー背上げシャフトにはソファー背上げアームとソファー背上げブラケットが一定角度で固定されており、ベッド背上げアームとソファー背上げアームの下降を止めるベッド背上げアームストッパーとソファー背上げアームストッパーをベッド背上げアームとソファー背上げアームに対応する位置の支持基台に有し、アクチュエーターの一端をベッド背上げブラケットと回動自在に連結し、該アクチュエーターの他端をソファー背上げブラケットと回動自在に連結し、アクチュエーターの伸縮長さの中間長さを、支持床全体がフラットな状態をとるように配置したことを特徴とするソファー兼用リクライニングベッド。
【発明の詳細な説明】
【技術分野】
【０００１】
本発明は、ソファー兼用リクライニングベッドに関するものである。
【背景技術】
【０００２】
従来より、特開２００１−２９３０３７号のリクライニングと寝返り補助を目的とする、ベッドを長手方向と幅方向を屈曲可能とする構造のものは有った。この構造のものの場合には、支持床を長手方向に屈曲するための駆動装置と、支持床を幅方向に屈曲するための駆動装置が必要となり、構造が複雑となりコスト高になる点と、ベッドフレーム全体の重量が重たくなり、ベッドの移動が厄介であった。
【特許文献１】特開２００１−２９３０３７号公報
【発明の開示】
【発明が解決しようとする課題】
【０００３】
ベッドの支持床を長手方向に屈曲するリクライニング可動とベッドの支持床を幅方向に屈曲するソファー変換可動を１個のアクチュエーターにより可動を可能とすることで、構造を簡単にし、重量とコスト高を解決するとともに、扱い易いソファー兼用リクライニングベッドを提供することにある。
【課題を解決するための手段】
【０００４】
本発明は、ベッドの支持床１が、ベッドの長手方向屈曲点２とベッドの幅方向屈曲点３で屈曲可能なように少なくともベッド・ソファー兼用ボトム４、ベッド背ボトム５、ベッドボトム６、ソファー背ボトム７に４分割されており、該支持床１の下側に支持基台８を有し、支持基台８の矩形枠９の長手方向枠１０，１０‘間に、ベッド背上げシャフト１１とソファー背上げシャフト１２が回動自在に連結固定され、該ベッド背上げシャフト１１にはベッド背上げアーム１３とベッド背上げブラケット１４が所定角度で固定され、ソファー背上げシャフト１２にはソファー背上げアーム１５とソファー背上げブラケット１６が一定角度で固定されており、ベッド背上げアーム１３とソファー背上げアーム１５の下降を止めるベッド背上げアームストッパー１７とソファー背上げアームストッパー１８をベッド背上げアーム１３とソファー背上げアーム１５に対応する位置の支持基台８に有し、アクチュエーター１９の一端をベッド背上げブラケット１４と回動自在に連結し、該アクチュエーター１９の他端をソファー背上げブラケット１６と回動自在に連結し、アクチュエーター１９の伸縮長さの中間長さを、支持床１全体がフラットな状態をとるように配置したことを特徴とするソファー兼用リクライニングベッドである。
【発明の効果】
【０００５】
アクチュエーター１９の一端をベッド背上げブラケット１４と回動自在に連結し、該アクチュエーター１９の他端をソファー背上げブラケット１６と回動自在に連結し、アクチュエーター１９の伸縮長さの中間長さを、支持床１全体がフラットな状態をとるように配置したことにより、アクチュエーター１９を作動させ、中間長さから伸びる方向に駆動するとソファー背上げアーム１５はソファー背上げアームストッパー１８に接触し、それ以上回動しないため、ソファー背上げブラケット１６は回動できない。ソファー背上げブラケット１６は回動できない状態からアクチュエーター１９を更に伸ばすと、ベッド背上げブラケット１４を押すこととなり、ベッド背上げアーム１３が上方に回動し、ベッド・ソファー兼用ボトム４とベッド背ボトム５を起伏さす。
【０００６】
またアクチュエーター１９を反転作動させ、中間長さから縮む方向に駆動するとベッド背上げアーム１３がベッド背上げアームストッパー１７に接触し、それ以上回動しないため、ベッド背上げブラケット１４は下降方向に回動できない。ベッド背上げブラケット１４は下降方向に回動できない状態からアクチュエーター１９が更に縮むとソファー背上げブラケット１６を引っ張る方向に力が働き、ソファー背上げアーム１５を起伏方向に回動させ、ベッド・ソファー兼用ボトム４とソファー背ボトム７を回動起伏させたソファー状態となる。
【０００７】
ベッド・ソファー兼用ボトム４とベッド背ボトム５を起伏ベッドのリクライニングとベッド・ソファー兼用ボトム４とソファー背ボトム７を回動起伏させソファー状態にすることを１個のアクチュエーターにより行うことができるため、ベッド状態でリクライニングさせて食事や読書及びテレビを見たりリラックスした姿勢で楽しむことができるとともに、昼間は通常のソファーとして背の角度を任意の角度に設定し、くつろぎの時間をすごすことができる。１個のアクチュエーターで行うことがでることで、構造が簡単となり、全体重量とコスト低減にもつながる。
【発明を実施するための最良の形態】
【０００８】
支持基台８の矩形枠９の長手方向枠１０，１０‘間に、ベッド背上げシャフト１１とソファー背上げシャフト１２が回動自在に連結固定され、該ベッド背上げシャフト１１にはベッド背上げアーム１３とベッド背上げブラケット１４が一定角度で固定され、ソファー背上げシャフト１２にはソファー背上げアーム１５とソファー背上げブラケット１６が一定角度で固定されており、ベッド背上げアーム１３とソファー背上げアーム１５の下降を止めるベッド背上げアームストッパー１７とソファー背上げアームストッパー１８をベッド背上げアーム１３とソファー背上げアーム１５に対応する位置の支持基台８に有し、該支持床１全体がアクチュエーター１９の伸縮長さが中間長さの状態で水平位置になるように、ベッド背上げブラケット１４とソファー背上げブラケット１６との間にアクチュエータ１９を回動自在に連結して固定することで、１個のアクチュエーター１９によりベッドの背のリクライニングとソファーへの変換を行うことを可能とした。
【実施例１】
【０００９】
図１は本発明の一実施例を示すフラットなベッドの状態の全体斜視図であり、支持床１は、ベッド・ソファー兼用ボトム４、ベッド背ボトム５、ベッドボトム６、ソファー背ボトム７の４つに分割されており、ベッド・ソファー兼用ボトムとソファー背ボトム７及びベッド背ボトム５とベッドボトム６は互いに継ぎ手により回動自在に連結固定されている。該ベッド背ボトム５は下側に位置する支持基台８に連結固定されている。ソファー背ボトム７から突き出るようにベッド・ソファー兼用ボトム４を支持する支持用枠体２０が溶接固定されており、ベッド・ソファー兼用ボトム４は支持枠体２０の上で接触しているだけで連結固定されておらず、ソファー形状時の図２に示すように、ソファー背ボトム７に連結固定されている指示用枠体２０起伏により押し上げられ、ベッド・ソファー兼用ボトム４が同調して起伏するようになっている。また、図３に示すようにベッドのリクライニング状態の際には、ベッド背ボトム５とベッド・ソファー兼用ボトム４が回動起伏するようになっている。
【００１０】
図４はソファー状態における支持床１の部分を想像線で表し、支持基台８の構造を示した斜視図であり、矩形枠９は角パイプにより構成されており四方のコーナー部には脚２１が固定されている。該矩形枠９の長手方向枠１０，１０’間にベッド背上げシャフト１１とソファー背上げシャフト１２が回動自在に連結固体されており，ベッド背上げシャフト１１には一対のベッド背上げアーム１３，１３’とベッド背上げブラケット１４が所定の角度となるように溶接固定されており、ベッド背上げアーム１３，１３’の先端にはローラー２２が回動可能に連結されている。一方ソファー背上げシャフト１２には、ソファー背上げアーム１５とソファー背上げブラケット１６が所定角度になるように溶接固定されている。該ソファー背上げアーム１５の先端には回転面がソファー背上げアーム１５と直角となるようにローラー２２が回動自在に連結固定されている。該矩形枠９の長手方向枠１０の下面にはベッド背上げアーム１３，１３’及びソファー背上げアーム１５が水平位置からさらに下には回動下降しないように、ベッド背上げアームストッパー１７とソファー背上げアームストッパー１８が溶接固定されている。
【００１１】
図５は図１状態のベッドのフラット状態での支持床１を省略した側面図を示したものであるが、アクチュエーター１９の一端をベッド背上げブラケット１４と回動自在に連結し、該アクチュエーター１９の他端をソファー背上げブラケット１６と回動自在に連結し、アクチュエーター１９の伸縮長さの中間長さを、支持床１全体がフラットな状態をとるように配置されている。図４の該矩形枠９の長手方向枠１０，１０’間に補強用梁２３，２３’が溶接固定されており，該補強用梁２３，２３’の上面のＬ型金具２４はベッドボトム６を固定するためのものである。
【００１２】
ソファー背ボトム７とベッド・ソファー兼用ボトムと支持基台８との連結は図２に示す。頭側についてはソファー背ボトム７の背面に固定されている支持用枠体２０の頭側端面と、支持基台８との間がリンクバー２５により回動可能に連結されており、ソファー背ボトム７に固定されているスライドローラー２８が支持基台８の幅方向枠２６の内側に固定されているスライドローラーガイド２７に嵌着されている。一方足元側については、ソファー背ボトム７と支持基台８との間にリンクバー２５が回動可能に直接連結されており、ソファー背ボトム７に固定されているスライドローラー２８が支持基台８の幅方向枠２６の内側に固定されているスライドローラーガイド２７に嵌着されている。頭側、足側ともにスライドローラーガイド２７にスライドローラー２８が嵌着されているのは、ソファー状態の屈曲による支持床１上に載置するクッション体のズレを少なくするためにソファー背ボトム７を少し後方にスライドしながら起伏さすためのガイド機能を持たせるためであるが、ソファー背ボトム７のスライド機構を省略したもので、支持基台８にソファー背ボトム７を回動自在に直接連結固定するものでもかまわない。
【００１３】
次に作動について説明すると図５のベッドがフラット状態から、アクチュエーター１９を中間長さから伸びる方向に駆動させると、図６のようにソファー背上げシャフト１２を介して所定角度でソファー背上げブラケット１６が固定されていることで、ソファー背上げアーム１５はソファー背上げアームストッパー１８に接触してそれ以上回動できないため、ソファー背上げブラケット１６は回動できない。アクチュエーター１９を更に伸ばすと、ベッド背上げブラケット１４を押すこととなり、ベッド背上げシャフト１１を介してベッド背上げブラケット１４とベッド背上げアーム１３が所定の角度で固定されているためにベッド背上げアーム１３が回動起伏することとなり、ベッド背ボトム５とベッド・ソファー兼用ボトム４を押し上げベッドがリクライニング状態となる。
【００１４】
またベッドがフラットな状態からアクチュエーター１９を縮む方向に駆動すると図７に示すように、ベッド背上げアーム１３はベッド背上げアームストッパー１７に接触し、それ以上下降回動できないために、ベッド背上げブラケット１４の回動は停止する。アクチュエーター１９を更に縮めると、ソファー背上げブラケット１６を引っ張ることとなり、ソファー背上げシャフト１２を介してソファー背上げブラケット１６とソファー背上げアーム１５が所定の角度で固定されているためにソファー背上げアーム１５が回動起伏して、図２に示すようにソファー背ボトム７が回動起伏し、該ソファー背ボトム７に固定されている支持用枠体２０とともに起伏することで、ベッド・ソファー兼用ボトム４を持ち上げ、ソファー状態とすることができる。
【産業上の利用可能性】
【００１５】
アクチュエーター１９の伸縮長さの中間位置で２つの作動間を回動自在な連結固定することを適用すれば、ベッドのリクライニングと腰部のストレッチのように全く異なる作動を１つのアクチュエーターにより行うことが可能となる。
【図面の簡単な説明】
【００１６】
【図１】実施例１におけるベッドがフラットな状態の全体斜視図である。
【図２】図１のもののソファー状態を示す全体斜視図である。
【図３】図１のもののリクライニング状態を示す全体斜視図である。
【図４】図２のものの支持床１部分を想像線とし下部の構造を示した説明図である。
【図５】図１のものの支持床１部を省略して示した側面図である。
【図６】図３のものの支持床１部を省略して示した側面図である。
【図７】図２のものの支持床１部を省略して示した側面図である。
【符号の説明】
【００１７】
１    支持床
２    長手方向屈曲点
３    幅方向屈曲点
４    ベッド・ソファー兼用ボトム
５    ベッド背ボトム
６    ベッドボトム
７    ソファー背ボトム
８    支持基台
９    矩形枠
１０    長手方向枠  
１１    ベッド背上げシャフト
１２    ソファー背上げシャフト
１３    ベッド背上げアーム
１４    ベッド背上げブラケット
１５    ソファー背上げアーム
１６    ソファー背上げブラケット
１７    ベッド背上げアームストッパー
１８    ソファー背上げアームストッパー
１９    アクチュエーター
【図１】
0004758742.tif 000002
【図２】
0004758742.tif 000003
【図３】
0004758742.tif 000004
【図４】
0004758742.tif 000005
【図５】
0004758742.tif 000006
【図６】
0004758742.tif 000007
【図７】
0004758742.tif 000008